(57)【要約】      （修正有）【課題】尿等を吸収するための吸水材の無駄を少なくし、かつ装着安定性を図った雌雄兼用のペット用パンツを提供する。【解決手段】犬或いは猫等の四足のペットＤに装着されるペット用パンツ１であって、後足Ｄａの挿通孔２１を有し、後足Ｄａの股間部Ｄｂから下腹部Ｄｃにかけて宛がわれ、背部で合わせ部によって合わせられて、前記股間部Ｄｂ及び下腹部Ｄｃを含む胴部を包むよう装着する様にパンツ本体部２を形成する。さらに、前記パンツ本体部２から胸部Ｄｄに沿って首部Ｄｅの前側にまで延びる繋ぎ部３と、前記繋ぎ部３の先端に設けられて首部Ｄｅに巻き掛けられる首輪部４と、前記パンツ本体部２及び繋ぎ部３の内側における前記下腹部Ｄｃに相当する部位及び前記股間部Ｄｂに相当する部位の２か所に設けられた吸水材収納用のポケット部５，６とを備える。【選択図】図２
0003176632.tif 000002
【実用新案登録請求の範囲】
【請求項１】
犬或いは猫等の四足のペットに装着されるペット用パンツであって、
後足の挿通孔を有し、後足の股間部から下腹部にかけて宛がわれ、背部で合わせ部によって合わせられ、前記股間部及び下腹部を含む胴部を包むよう装着されるパンツ本体部と、
前記パンツ本体部から胸部に沿って首部の前側にまで延びる繋ぎ部と、
前記繋ぎ部の先端に設けられて首部に巻き掛けられる首輪部と、
前記パンツ本体部及び繋ぎ部の内側における前記下腹部に相当する部位及び前記股間部に相当する部位の２か所に設けられた吸水材収納用のポケット部と、を備えたことを特徴とするペット用パンツ。
【請求項２】
請求項１に記載のペット用パンツにおいて、
前記ポケット部がメッシュ生地からなることを特徴とするペット用パンツ。
【請求項３】
請求項１又は２に記載のペット用パンツにおいて、
前記合わせ部は、面ファスナーによって互いに接離可能とされ、当該面ファスナーを構成する一方の構成部片はペットの体軸方向に沿った１本の長尺帯状部片からなり、他方の構成部片は前記体軸方向に直交し、かつ、体軸方向に沿って配列された複数の短尺帯状部片からなることを特徴とするペット用パンツ。
【請求項４】
請求項１〜請求項３のいずれか一項に記載のペット用パンツにおいて、
前記首輪部は、前記繋ぎ部の先端から左右に分かれる一対の紐状部と、該紐状部の遊端同士を分離可能に接続する接続手段とを備え、該接続手段は、接続によって形成される輪体の大きさが調整自在とされていることを特徴とするペット用パンツ。
【考案の詳細な説明】
【技術分野】
【０００１】
本考案は、犬や猫等の四足動物で、主に室内で飼われるペットのマーキングや粗相を防止するためのペット用パンツに関する。
【背景技術】
【０００２】
近時、室内でペットを飼ったり、遊ばせたりすることも多くなった。特に、ペット可のマンションや、ペット同伴可能なホテル或いはレストラン等の普及で、室内犬や猫等のペットが人気を呼ぶようになり、人間とペットとの生活空間の共有化が増すようになってきた。このように、人間とペットとが生活空間を共有化するようになると、ペットのマーキングや粗相或いは生理による室内の汚れや匂いが問題となる。特に、訪問先での粗相等は、訪問先に対して大変な迷惑となる。
このような問題点を解決するため、特許文献１〜３では、ペットの排尿部に相当する部位に、吸水シート、吸水パッド或いは吸水繊維等の吸水材を配置して、ペットが排尿しても吸水材で吸水させて外部に漏れないようにしたペット用のパンツが提案されている。特に、最近では高吸水性樹脂を備えた吸水シートや吸水パッド等の使い捨ての吸水材が開発され、前記排尿部に相当する部位にポケットを形成し、このポケットに吸水材を収納させるようにしたペット用パンツも出回るようになった。このようなペット用パンツは、排尿があったときは、吸水材のみ取り出して廃棄し、新品の吸水材に取り換えてそのまま継続使用できるので、長時間の訪問でも訪問先に迷惑をかけることがなく、ペット愛好者には好評を博している。
【先行技術文献】
【特許文献】
【０００３】
【特許文献１】実用新案登録第３０７９５３２号公報
【特許文献２】特開２００６−５５０１１号公報
【特許文献３】特許第４４６７５１２号公報
【考案の概要】
【考案が解決しようとする課題】
【０００４】
ところで、犬や猫等の四足動物の場合、排尿部の位置が雄と雌とで異なる。具体的には、雄の場合、下腹部に位置し、しかも構造上排尿口の位置が定まりにくいのに対し、雌の場合、概ね後足の股間部に位置し、ほぼその位置に定まっている。従って、特許文献１〜３では、雄及び雌のそれぞれに適した位置に吸水材を配置して雄用及び雌用のパンツとするか、雌雄の排尿部の両方をカバーし得る吸水材の配置部を設けて雌雄兼用のパンツとすることが提案或いは示唆されている。
【０００５】
しかし、雄用或いは雌用のペット用パンツとして区別されている場合、生産者はこれらを個別に生産する必要があるため生産効率が悪く、在庫管理も煩雑となる。また、需要者も、うっかり雄雌を意識せずに購入すると、購入品が飼っているペットに適さず無駄になることも起こり得る。一方、雌雄兼用のペット用パンツとするために、雌雄の排尿部の両方をカバーし得る広い範囲に吸水材の配置部（ポケット等）を設け、これに相当する大きさの吸水材を配置部に配置されることが考えられる。しかしながら、この場合、ペットが雌雄どちらであっても、それぞれの排尿部に関与しない部分にも吸水材が存在することになり、前記のような使い捨ての吸水材を用いる場合、吸水可能領域が残っているにも関わらず廃棄を余儀なくされ、無駄が生じることになる。また雌雄兼用専用の大きな吸水材が必要となる。
さらに近年、ペットグッズは、機能面だけでなく、ファッション性が求められる上、着せ易さや装着安定性も求められる。
【０００６】
本考案は、前記に鑑みなされたものであり、尿等を吸収するための吸水材の無駄を少なくし、かつ装着安定性を図った雌雄兼用のペット用パンツを提供することを目的とする。
【課題を解決するための手段】
【０００７】
本考案に係るペット用パンツは、犬或いは猫等の四足のペットに装着されるペット用パンツであって、後足の挿通孔を有し、後足の股間部から下腹部にかけて宛がわれ、背部で合わせ部によって合わせられ、前記股間部及び下腹部を含む胴部を包むよう装着されるパンツ本体部と、前記パンツ本体部から胸部に沿って首部の前側にまで延びる繋ぎ部と、前記繋ぎ部の先端に設けられて首部に巻き掛けられる首輪部と、前記パンツ本体部及び繋ぎ部の内側における前記下腹部に相当する部位及び前記股間部に相当する部位の２か所に設けられた吸水材収納用ポケット部と、を備えたことを特徴とする。
【０００８】
本考案によれば、パンツ本体部の挿通孔にペットの後足を挿通し、合わせ部をペットの背部で合わせると、後足の股間部及び下腹部を含む胴部を包むようにパンツ本体部がペットに装着される。この場合、対象のペットが雄の場合、下腹部に相当する部位のポケット部に吸水材を収納させておけば、排尿部から排出される尿は逐次吸水材に吸収され、外部に漏れることがない。また、ペットが雌の場合、股間部に相当する部位のポケット部に吸水材を収納させておけば、排尿部から排出される尿は逐次吸水材に吸収され、外部に漏れることがない。そして、本考案のペット用パンツは、前記合わせ部をペットの胴部の背部で合わせ、前記繋ぎ部の先端に設けられた首輪部をペットの首部に巻き掛けることによってペットに装着されるから、着せ易く、またずれたり外れたりすることがなく、装着状態が極めて安定する。
【０００９】
本考案において、前記ポケット部がメッシュ生地からなるものとしても良い。これによれば、排尿部から排出された尿は、メッシュ生地を透過して速やかに吸水材に吸収される。また、ポケット部に対する吸水材の収納状態、或いは、吸水材における尿の吸収状態を簡易に視認することができる。
【００１０】
本考案において、前記合わせ部は、面ファスナーによって互いに接離可能とされ、当該面ファスナーを構成する一方の構成部片はペットの体軸方向に沿った１本の長尺帯状部片からなり、他方の構成部片は体軸方向に直交し、かつ、体軸方向に沿って配列された複数の短尺帯状部片からなるものとしても良い。これによれば、合わせ部が面ファスナーによって構成されるから、脱着操作が簡単である。また、面ファスナーの構成部片の一方及び他方の前記のような構造により、ペットの胴部の太さに応じ、パンツ本体部をペットの胴部にフィットさせるよう合わせ部の調整を簡易に行うことができる。
【００１１】
本考案において、前記首輪部は、前記繋ぎ部の先端から左右に分かれる一対の紐状部と、該紐状部の遊端同士を分離可能に接続する接続手段とを備え、該接続手段は、接続によって形成される輪体の大きさが調整自在とされているものとしても良い。これによれば、接続手段により首部に前記一対の紐状部を巻き掛けて、遊端同士を接続する操作は、ペットの首部の後側（上側）でされるため、煩わしさを伴わず、簡易に行うことができる。また、前記合わせ部が胴部の背部で合わせられ、繋ぎ部が胸部に沿って首部の前側（下側）にまで延びていること、及び、後足が挿通部に挿通されることとも相まって、ペットに対する本ペット用パンツの装着状態が極めて安定化される。さらに、接続手段は、接続によって形成される輪体の大きさが調整自在とされているから、ペットの首の太さに応じた対応ができる。
【考案の効果】
【００１２】
本考案に係るペット用パンツによれば、ペットの雌雄どちらにも対応でき、しかも、雌雄に応じて吸水材を選択使用することによって、吸水材の無駄をなくすことができる。また、じっとしていないペットに着せ易く、さらに装着安定性がよいので、ずれたり外れたりすることがないから、訪問先等にも安心してペットを同伴することができる。
【図面の簡単な説明】
【００１３】
【図１】本考案に係るペット用パンツの一実施形態を模式的に示す展開図である。
【図２】同ペット用パンツをペットに装着する際の外形状を模式的に示す斜視図である。
【図３】同ペット用パンツの使用状態を示す図であり、犬に装着した状態の概念図である。
【考案を実施するための形態】
【００１４】
以下、本考案のペット用パンツの実施の形態について図面に基づき説明する。図に示すように、本実施形態のペット用パンツ１は、大略的に、パンツ本体部２と、繋ぎ部３と、首輪部４と、前記パンツ本体部２の内側の２か所に設けられた吸水材収納用ポケット部５，６とからなる。パンツ本体部２と、繋ぎ部３とはコットン等の布地を一連に裁断してなり、その外周縁部には、バイアステープ１０がゴム紐（不図示）を内装した状態で縫合されて縁取りされている。これによって、一連のパンツ本体部２及び繋ぎ部３に伸縮性が付与されている。
【００１５】
前記パンツ本体部２は、ペットとしての犬Ｄ（図２，３参照、以下同じ）の後足Ｄａを挿通させるための挿通孔２１，２１を有し、後足の股間部Ｄｂから下腹部Ｄｃにかけて宛がわれ、ペットＤの背部Ｄｆで合わせ部２２によって合わせられる。パンツ本体部２は、ペットＤの背部Ｄｆで合わせ部２２によって合わせられることによって、前記股間部Ｄｂ及び下腹部Ｄｃを含む胴部を包むように犬Ｄに装着される。前記挿通孔２１，２１の内周縁部にはバイアステープ２１ａ，２１ａがゴム紐（不図示）を内装した状態で縫合されて縁取りされている。これによって、当該内周縁部が周方向に伸縮性を備え、挿通された前記後足Ｄａの大腿部の付け根部に程よくフィットする。前記合わせ部２２は、パンツ本体部２の左右に延出する一対の舌片状合わせ片２２ａ，２２ｂからなり、該合わせ片２２ａ，２２ｂは、面ファスナー２３によって互いに接離可能とされている。面ファスナー２３は、前記合わせ部２２の一方の合わせ片２２ａの内側面に縫合された一方の構成部片２３ａと、他方の合わせ片２２ｂの外側面に縫合された他方の構成部片２３ｂとからなる。前記面ファスナー２３の一方の構成部片２３ａは、当該ペット用パンツ１が犬Ｄに装着されたときに犬Ｄの体軸Ｄｏに沿う１本の長尺帯状部片からなる。また、前記面ファスナー２３の他方の構成部片２３ｂは、前記体軸方向Ｄｏに直交し、かつ、体軸方向Ｄｏに沿って配列された複数（図例では３個）の短尺帯状部片からなる。前記合わせ片２２ａ，２２ｂにおける前記面ファスナー２３の構成部片２３ａ，２３ｂが縫合される部位の内側面には、補強用のバッカー布２２ａａ，２２ｂａが縫合されている。面ファスナー２３の構成部片２３ａ，２３ｂを剥離させる際に、合わせ片２２ａ，２２ｂに対する構成部片２３ａ，２３ｂの縫合部に強いストレスがかかるが、バッカー布２２ａａ，２２ｂａを設けることにより、構成部片２３ａ，２３ｂの縫合部の破断を防止することができる。
【００１６】
前記繋ぎ部３は、前記パンツ本体部２から犬Ｄの胸部Ｄｄに沿って首部Ｄｅの前側（下側）にまで延びるよう前記パンツ本体部２に一体に連成されている。そして、該繋ぎ部３の先端には、前記犬Ｄの首部Ｄｅに巻き掛けられる首輪部４が縫合によって取付けられている。この首輪部４は、前記繋ぎ部３の先端から左右に分かれる一対の紐状部４ａ，４ｂと、該紐状部４ａ，４ｂの遊端同士を分離可能に接続する接続手段４０とを備えている。該一対の紐状部４ａ，４ｂは、図例では１本の紐状体からなる。この接続手段４の接続によって形成される紐状部４ａ，４ｂによる輪体は、その大きさ（径）が調整自在とされている。前記接続手段４０としては、図例では、紐状部４ａ，４ｂのそれぞれの長手方向に等間隔で取付けられたそれぞれ３個のメスホック４０ａ及びオスホック４０ｂとからなるホック（ジャンパホック）が採用されている。なお、接続手段４０の構成は、調性自在に接続できれば特に限定されないが、図例のようなホックとすれば、毛が長い品種のペットに着用させる場合でも、毛がからみにくいものとすることができる。
【００１７】
前記吸水材収納用のポケット部５，６は、いずれもメッシュ生地を前記パンツ本体部２及び繋ぎ部３の内側であって、犬Ｄの下腹部Ｄｃ及び股間部Ｄｂに相当する部位に縫合することによって構成されている。下腹部Ｄｃに相当する部位に形成されるポケット部５には、その開口部５ａ，５ｂより吸水材７が差し入れられて保持される。図例のポケット部５の開口部５ａ，５ｂは、挿通孔２１，２１側と首輪部４側とに形成された例を示しているが、これに限定されず、吸水材７が保持できれば、ポケット部５の中央に開口部を設けてもよいし、両サイド５ｃ，５ｃが開口しているようにしてもよい。また、股間部Ｄｂに相当する部位に形成されるポケット部６には、その開口部６ａ，６ｂ，６ｂより吸水材８が差し入れられて保持される。図例のポケット部６の開口部６ａ，６ｂ，６ｂは、ポケット部５側と挿通孔２１の両サイド側とに形成された例を示しているが、吸水材８が保持できれば、これに限定されず、ポケット部６の中央に開口部を設けてもよい。吸水材７，８としては、高吸水性樹脂を層内に担持して構成される吸水シート或いは吸水パッド等が望ましく採用されるが、フエルトや不織布のような多繊維の吸水性素材からなるものであっても良い。また、吸水材７，８は、ポケット部５，６のそれぞれに対応する大きさのものを純正品として調製しておくことが望ましいが、ポケット部５，６のそれぞれに差し入れることができる大きさの市販のこの種の吸水材やタオル等を、需要者が適宜選択して使用することも可能である。なお、ポケット部５，６のメッシュ生地の構成は図例に限定されず、吸水材７，８による吸水を阻害しない構成であれば、さらに細かいメッシュ生地でもよいし、ネット状のものを用いてもよい。また吸水材７，８の形状は、図例のような縦長の長方形状に限定されるものではない。
【００１８】
前記のように構成されたペット用パンツ１の使用要領について、図２及び図３をも参照して説明する。本実施形態のペット用パンツ１は、図１に示すような展開状態から、図３に示すように対象ペットとしての犬Ｄに装着される。まず、装着対象の犬Ｄが雄犬の場合には前記ポケット部５に吸水材７を、雌犬の場合には前記ポケット部６に吸水材８を、それぞれ差し入れて保持させておく。そして、２本の後足Ｄａを挿通孔２１，２１に挿入させるとともに、パンツ本体部２を犬Ｄの股間部Ｄｂ及び下腹部Ｄｃに宛がう。この状態で、舌片状に左右に延びる合わせ片２２ａ，２２ｂを、犬Ｄの胴部の両側部から背部Ｄｆに回し、背部Ｄｆにおいて互いに重ね合わせ、前記面ファスナー２３によって接合する。このとき、面ファスナー２３の一方の構成部片２３ａが、前記体軸方向Ｄｏに沿って長尺帯状部片からなり、他方の構成部片２３ｂが、前記体軸方向Ｄｏに直交し、かつ、体軸方向Ｄｏに沿って配列された３個の短尺帯状部片からなるから、両構成部片２３ａ，２３ｂの接合位置を適宜調整することができる。両構成部片２３ａ，２３ｂの接合位置の調整は、犬ｄの胴部の太さに応じてすることができるから、犬Ｄに多少の個体差があっても、股間部Ｄｂ及び下腹部Ｄｃを含む胴部を包むように、かつ、胴部に程よくフィットさせた状態でパンツ本体部２を装着することができる。そして、合わせ部２２の合わせ片２２ａ，２２ｂによる合わせ操作は、背部Ｄｆでされ、左程煩わしさを伴わず簡易かつ的確に行うことができる。
【００１９】
次いで、繋ぎ部３を犬Ｄの胸部Ｄｄを沿うようにして首部Ｄｅの前側（下側）にまで延ばし、首輪部４の紐状部４ａ，４ｂを首部Ｄｅの両側部から後側（上側）に引き上げ、首部Ｄｅに巻き掛けるようにして、接続手段４０によって接続する。このとき、接続によって形成される輪体の大きさを、首部Ｄｅの太さに適合するよう、それぞれ３個の前記メスホック４０ａ及びオスホック４０ｂ同士の結着位置を変えることによって調整することができる。従って、犬Ｄに多少の個体差があっても、首輪部４をそれぞれの犬Ｄに適度にフィットさせるよう首部Ｄｅに巻き掛けることができる。そして、この接続手段４０による紐状部４ａ，４ｂの接続操作も、首部Ｄｅの後側（上側）で行うことができ、パンツ本体部２と同様に左程煩わしさを伴わず簡易かつ的確に行うことができる。首輪部４を首部Ｄｅに巻き掛けることによって、本実施形態のペット用パンツ１の犬Ｄに対する装着操作が完了する。なお、合わせ部２２による前記合わせ操作の前に、首輪部４の巻き掛け操作を行っても良い。
【００２０】
前記のようなペット用パンツ１の装着状態では、対象ペットが雄犬の場合には、ポケット部５に保持された吸水材７がその排尿部及びその近傍部に宛がわれ、また雌犬の場合には、ポケット部６に保持された吸水材８がその排尿部に宛がわれることになる。従って、犬Ｄが排尿しても、尿は吸水材７又は吸水材８に吸収され、外部への漏れ、生活環境等を汚すことを防止することができる。雌犬の生理の場合でも、同様に体液が吸収材８に吸収されるので、生活環境等を汚すことを防止できる。この場合、尿等の吸収は、ポケット部５，６を介して吸収されるが、ポケット部５，６は、メッシュ生地によって構成されるから、ポケット部５，６が吸収の障害とならず、尿等は、吸水材７又は吸水材８に速やかに吸収される。そして、前記ファスナー２３の構成部片２３ａ，２３ｂを剥離させることによって、前記合わせ片２２ａ，２２ｂの接合による合わせ部２２の合わせ状態を簡易に解除できるから、吸水材７又は吸水材８に尿が吸収されたか否かが目視で判断することができる。吸水材７又は吸水材８に尿が吸収されている場合は、前記開口部５ａ，６ａから出し入れすることによって、簡易に新品の吸水材７又は吸水材８に交換することができる。パンツ本体部２の前記のような構成により、胴部に装着した状態では、図２及び図３に示すように、尾部Ｄｇ及び肛門部Ｄｈは、装着状態のパンツ本体部２から露出した状態となる。従って、装着時に尾部Ｄｇが邪魔にならず、糞によってパンツ本体部２が汚れることを防止できる。
【００２１】
本実施形態のペット用パンツ１では、犬Ｄが雄か雌かによって、吸水材７，８のいずれかを選択して、ポケット部５，６のいずれかに差し入れて保持させればよいから、雌雄の排尿部の両方をカバーし得るような大きな吸水材を不要とする。これによって、尿が吸収されていない部分が残っているにも関わらず、吸水材を廃棄するなど、吸収材の無駄な消費を少なくすることができる。また、パンツ本体部２の挿通孔２１，２１に後足Ｄａが挿通されること、パンツ本体部２が胴部を包むように背部Ｄｆで合わせられること、及び、首輪部４が首部Ｄｅに巻き掛けることによって、ペット用パンツ１の装着が極めて安定的となる。従って、犬Ｄが走り回るような激しい運動をしても、ペット用パンツ２がずれたり、外れたりしにくい。
【００２２】
なお、前記実施形態では、ペットが犬の場合を例に採って述べたが、これに限らず猫等の四足動物であって、ペットとして愛玩される動物も対象とされる。また、合わせ部２２の合わせ片２２ａ，２２ｂを接合させる手段として面ファスナー２３によるものを例示したが、これに限らず、同様の機能を奏するもの、例えば、結わえ紐等も採用可能である。さらに、首輪部４の紐状部４ａ，４ｂの接続手段４０としてホックによるものを例示したが、これに限らず、例えば、ワンタッチで操作し得る公知のパッチン式連結具等も採用可能である。この場合、紐状部４ａ，４ｂの一方又は両方に長さ調整手段が設けられることが望ましい。さらにパンツ本体部２及び首輪部４等に使用する布地の種類や柄は特に限定されず、例えば夏場ではあれば麻の混合素材、冬場であればフリース素材を用いてもよい。また雌雄問わないデニム色としてもよいし、胴部にアップリケ等を刺繍してもよい。さらにバイアステープ１０，２１ａ部分にレース等を施してもよい。
【符号の説明】
【００２３】
１                              ペット用パンツ
２                              パンツ本体部
２１                            挿通孔
２２                            合わせ部
２３                            面ファスナー
２３ａ，２３ｂ                  面ファスナーの構成部片
３                              繋ぎ部
４                              首輪部
４ａ，４ｂ                      紐状部
４０                            接続手段
５，６                          吸水材収納用ポケット部
７，８                          吸水材
Ｄ                              犬（ペット）
Ｄａ                            後足
Ｄｂ                            股間部
Ｄｃ                            下腹部
Ｄｄ                            胸部
Ｄｅ                            首部
Ｄｆ                            背部
Ｄｏ                            体軸方向
【図１】
0003176632.tif 000003
【図２】
0003176632.tif 000004
【図３】
0003176632.tif 000005